(57)【特許請求の範囲】
【請求項１】
基板の表面に予めブロック化された機能部品を実装した複数のブロック配線板と、
前記各ブロック配線板を後付けにより固定するための基板本体とを備え，
前記基板本体の裏面端部には、前記基板本体の裏面に配線された各電線の一部を引き出すためのものであって、Ｕ字状の溝が形成され、外部へ引き出される電線が縦一列に挿し込まれるようになっており、該溝に挿し込まれた電線の抜けを阻止する変形可能な複数の止めリブが形成されている複数の電線押さえ部を設け，
前記基板本体の下端で前記電線押さえ部の外側には、Ｕ字状の溝が形成され、該端部に抜け止めが形成されており、前記基板本体の裏面に配線された電線を束ねて形成したワイヤハーネスをＵ字の状態で支持固定するハーネス支持固定部を設け，
たことを特徴とする配線板。
【請求項２】
前記ブロック配線板は，
前記機能部品を実装する基板と，
前記基板の表面に実装されるＬＥＤと，
前記基板の裏面に実装される電子部品と，
一端が直接又は間接的に前記機能部品に接続されており、他端に前記電線を圧接するための圧接刃が形成されている圧接端子と，
を備え，
裏面側に布線用の圧接機械で前記電線のプログラマブル圧接を行い前記各電線を前記圧接端子に圧接して布線するようにしたものである請求項１に記載の配線板。
【発明の詳細な説明】
【０００１  】
【発明の属する技術分野】
本発明は、例えば自動車のコンビネーションメータや電気接続箱に用いると好適な配線板に関する。
【０００２  】
【従来の技術】
以下、コンビネーションメータを例に挙げて説明する。
図７は従来のコンビネーションメータを示している。コンビネーションメータ１００は、ケース１０１内にスピードメータ２００、タコメータ３００、水温計４００、燃料計５００、及びオドトリップアッシー６００を組み付けて構成されている。
【０００３  】
ケース１０１は、ループ状の外周壁部１０２と、その外周壁部１０２の裏面側の内側部の全面を覆う底壁部１０３とを有して断面略コ字状に形成されている。また、底壁部１０３の裏面側には、コンビネーションメータ用配線板としてのフレキシブル配線板１１０が取り付けられている。そのフレキシブル配線板１１０は、底壁部１０３の略全面を覆うようにして取り付けられている。
【０００４  】
スピードメータ２００、タコメータ３００、水温計４００、及び燃料計５００の各内機２０１、３０１、４０１、及び５０１は、それぞれ駆動回路を備えた専用硬質配線板２０２、３０２、及び４０２に対して電気的に接続されている。また、各専用硬質配線板２０２、３０２、及び４０２を底壁部１０３の表面側に固定することによりケース１０１内に組み付けられている。水温計４００及び燃料計５００の各内機４０１及び５０１は、共通の専用硬質配線板４０２に固定されている。
【０００５  】
底壁部１０３の表面側には、スピードメータ２００、タコメータ３００、水温計４００、及び燃料計５００の各導光板２０３、３０３、及び４０３（水温計４００と燃料計５００とに共通させて形成されている）が更に固定されている。また、文字盤１２０が各導光板２０３、３０３、及び４０３の前部に当接してケース１０１の開口部の全面を覆うように固定されている。
【０００６  】
オドトリップアッシー６００は、駆動回路を備えた専用硬質配線板（不図示）を側面に固定して構成されており、その専用硬質配線板をタコメータ３００の専用硬質配線板３０２に電気的に接続するとともに、ＬＥＤ６００ａをケース１０１及び文字盤１２０の窓部１０１ａ及び１２０ａから露出させてケース１０１に取り付けられている。
【０００７  】
尚、指針２０４、３０４、４０４、及び５０４は、それぞれ文字盤１２０の表面側に突出する内機２０１、３０１、４０１、及び５０１の各指針軸に圧入されて取り付けられている。図７中、引用符号１０１ｂ、１１０ａは、それぞれ底壁部１０３及びフレキシブル配線板１１０に穿設された照明用バルブの挿入孔を示している。照明用バルブはフレキシブル配線板１１０に電気的に接続されている。
【０００８  】
コンビネーションメータ１００は、文字盤１２０の表面側に図示しない見返しを取り付けるとともに、その見返しに図示しない表ガラスを取り付けて全体が構成されている。
【０００９  】
【発明が解決しようとする課題】
ところで、上記従来技術のコンビネーションメータ１００をはじめとする各種のメータ裏の配線にあっては、意匠変更や仕様変更の影響を受け易く、変更がある度に例えば各専用硬質配線板２０２、３０２、及び４０２やフレキシブル配線板１１０が新規に設定されている。従って、無駄が多くコストが掛かってしまっている。
【００１０  】
本発明は、上述した事情に鑑みてなされるもので、余分なコストをかけずに配線することができるとともに、意匠変更や仕様変更に容易に対応することができる配線板を提供することを課題とする。
【００１１】
【課題を解決するための手段】
上記課題を解決するためなされた請求項１記載の本発明の配線板は、基板の表面に予めブロック化された機能部品を実装した複数のブロック配線板と、前記各ブロック配線板を後付けにより固定するための基板本体とを備え，
前記基板本体の裏面端部には、前記基板本体の裏面に配線された各電線の一部を引き出すためのものであって、Ｕ字状の溝が形成され、外部へ引き出される電線が縦一列に挿し込まれるようになっており、該溝に挿し込まれた電線の抜けを阻止する変形可能な複数の止めリブが形成されている複数の電線押さえ部を設け，前記基板本体の下端で前記電線押さえ部の外側には、Ｕ字状の溝が形成され、該端部に抜け止めが形成されており、前記基板本体の裏面に配線された電線を束ねて形成したワイヤハーネスをＵ字の状態で支持固定するハーネス支持固定部を設けたことを特徴としている。
【００１２】
請求項２記載の本発明の配線板は、請求項１に記載の配線板において、前記ブロック配線板を，
前記機能部品を実装する基板と，前記基板の表面に実装されるＬＥＤと，前記基板の裏面に実装される電子部品と，一端が直接又は間接的に前記機能部品に接続されており、他端に前記電線を圧接するための圧接刃が形成されている圧接端子とを備え，
裏面側に布線用の圧接機械で前記電線のプログラマブル圧接を行い前記各電線を前記圧接端子に圧接して布線するようにしたことを特徴としている。
【００１６  】
請求項１に記載された本発明によれば、各ブロック配線板の圧接構造により電線が布線される。これにより配線板全体の配線がなされる。また、ブロック化された機能部品により標準化が図られる。意匠変更や仕様変更の際には、基板本体を変更しさえすれば対応することが可能になる（その他はブロック配線板とブロック配線板の圧接構造とにより吸収することが可能）。
【００２１  】
【発明の実施の形態】
以下、図面を参照して本発明の実施の形態を説明する。
図１は本発明の配線板の一実施の形態を示す図であり、（ａ）はメータ配線板の正面図、（ｂ）はメータ配線板の背面図である。また、図２は組み立てについて説明するための正面図、図３はその背面図である。さらに、図４はブロック配線板の一例を示す斜視図、図５は電線押さえ部の平面図、図６はハーネス支持固定部の模式的な正面図である。
【００２２  】
以下、自動車のコンビネーションメータを構成するメータ配線板を本発明の配線板の一例に挙げて説明する。
【００２３  】
図１ないし図３において、メータ配線板１は、所定の厚み及び外形を有する平板状の基板本体２と、複数のブロック配線板３とを備えて構成されている。基板本体２には、複数の装着部４と複数の電線押さえ部５とハーネス支持固定部６とが形成されており、各装着部４には、対応するブロック配線板３が後付け固定されている。一方、メータ配線板１の裏面側には、複数の電線７が各ブロック配線板３の圧接構造によって布線されている。また、メータ配線板１の裏面側からは、布線された各電線７の一部が各電線押さえ部５を介して引き出されている。その各電線押さえ部５から引き出された各電線７は束ねられており、これによってワイヤハーネス８が形成されている（ワイヤハーネス８の数は一例である）。そのワイヤハーネス８は、端末コネクタ９を介してＥＣＵ１０にコネクタ接続されている。
【００２４  】
複数のブロック配線板３は、予めブロック化された機能部品のうちの一ブロックを基板１１の表面に実装して形成されている。本形態においては、メータ系（速度、タコ、水温、ＦＵＥＬ等）回路、ワーニング回路、ＩＮＤ（インジケータ）回路、オドトリップ回路、ＢＺ（ブザー）回路の五つのブロックに分けられた各機能部品（１２、１４、１５、１６等）によりそれぞれ形成されている。
【００２５  】
メータ系回路のブロック配線板３ａは、基板１１ａと、その基板１１ａの表面に実装されるステッピングモータ１２と、基板１１ａの裏面に実装される電子部品（不図示）と、同じく裏面に設けられる複数の圧接端子１３とを有して構成されている。また、メータ系回路のブロック配線板３ａには、対応する装着部４に対しての図示しない固定手段（例えば爪状のロックなど）が形成されている。
【００２６  】
ワーニング回路のブロック配線板３ｂは、基板１１ｂと、その基板１１ｂの表面に実装されるＬＥＤ１４と、基板１１ｂの裏面に実装される電子部品（不図示）と、同じく裏面に設けられる複数の圧接端子１３とを有して構成されている（図４参照）。また、ワーニング回路のブロック配線板３ｂには、対応する装着部４に対しての図示しない固定手段（例えば爪状のロックなど）が形成されている。
【００２７  】
ＩＮＤ回路のブロック配線板３ｃは、基板１１ｃと、その基板１１ｃの表面に実装されるＬＥＤ１４と、基板１１ｃの裏面に実装される電子部品（不図示）と、同じく裏面に設けられる複数の圧接端子１３とを有して構成されている（図４参照）。また、ＩＮＤ回路のブロック配線板３ｃには、対応する装着部４に対しての図示しない固定手段（例えば爪状のロックなど）が形成されている。
【００２８  】
オドトリップ回路のブロック配線板３ｄは、基板１１ｄと、その基板１１ｄの表面に実装されるオドトリップアッシー１５と、基板１１ｄの裏面に設けられる複数の圧接端子１３とを有して構成されている。また、オドトリップ回路のブロック配線板３ｄには、対応する装着部４に対しての図示しない固定手段（例えば爪状のロックなど）が形成されている。
【００２９  】
ＢＺ回路のブロック配線板３ｅは、基板１１ｅと、その基板１１ｅの表面に実装されるブザーアッシー１６と、基板１１ｅの裏面に実装される電子部品（不図示）と、同じく裏面に設けられる複数の圧接端子１３とを有して構成されている。また、ＢＺ回路のブロック配線板３ｅには、対応する装着部４に対しての図示しない固定手段（例えば爪状のロックなど）が形成されている。
【００３０  】
尚、上記の各圧接端子１３は、その一端が直接又は間接的に上記機能部品に接続されており、他端には上記圧接構造、すなわち電線７を圧接するための圧接刃１７（図４参照）が形成されている。
【００３１  】
電線押さえ部５は、圧接端子１３に圧接されて布線された電線７に対して掛かる外部からの引張力を緩和させるための部分であって、基板本体２の例えば下端且つ基板本体２の裏面から突出するように設けられている。電線押さえ部５には、図５に示されるようなＵ字状の溝１８が形成されており、外部へ引き出される電線７が縦一列に挿し込まれるようになっている。その溝１８には、変形可能な複数の止めリブ１９が形成されており、挿し込まれた電線７の抜けを阻止するようになっている。
【００３２  】
ハーネス支持固定部６は、ワイヤハーネス８を例えば図６に示されるようなＵ字の状態で支持固定するための部分であって、電線押さえ部５と同様に引張力の緩和に寄与するようになっている。ハーネス支持固定部６は、基板本体２の例えば下端且つ電線押さえ部５の外側に設けられている。ハーネス支持固定部６には、Ｕ字状の溝が形成されており、その端部には抜け止め２０が形成されている。ハーネス支持固定部６の有無は任意であるものとする。
【００３３  】
ＥＣＵ１０は、本形態において、コンビネーションメータ専用のものではなく、コンビネーションメータの制御部分を他のＥＣＵに担当させたものとして構成されている。ＥＣＵ１０は特許請求の範囲に記載した制御手段に相当する。
【００３４  】
上記構成において、図２に示されような基板本体２の各装着部４に、対応するブロック配線板３を後付け固定すると、メータ配線板１の裏面側には、図３（ａ）に示されるような複数の圧接端子１３が突出し、メータ配線板１がワイヤインシュレーションプレートとしての機能を有するようになる。そして、この状態において、布線用の圧接機械で電線７のプログラマブル圧接を行い各電線７を布線すると、メータ配線板１の配線が完了する（図３（ｂ）参照。尚、端末コネクタ９を形成するための圧接を同時に行うと、以下で説明する効果の他に生産性の向上も図ることができる）。
【００３５  】
配線が完了したメータ配線板１は、メータケース内に取り付けられる。そして、導光板や見返しや指針や表ガラス等が組み付けられると、コンビネーションメータの組み立てが完了する。その後、ＥＣＵ１０の制御によりステッピングモータ１２が駆動されて図示しない指針が動いたりする。また、ＥＣＵ１０の制御によりＬＥＤ１４が発光したりする。
【００３６  】
以上、各ブロック配線板３の圧接構造に電線７を布線してメータ配線板１全体の配線をすることができるようになっている。また、ブロック化された機能部品により標準化を図ることができるようになっている。従って、意匠変更や仕様変更があっても基板本体２を変更しさえすれば対応することができる（その他は各ブロック配線板３と各ブロック配線板３の圧接構造とにより吸収することができる）。メータ配線板１は、余分なコストをかけずに配線することができるとともに、意匠変更や仕様変更に容易に対応することができるという効果を奏する。
【００３７  】
また、本形態においては、コンビネーションメータの制御部分を他のＥＣＵに担当させてコンビネーションメータを表示部のみの構造としていることから、メータ配線板１自体の簡素化を図ることができるという効果も奏する。
【００３８  】
その他、本発明は本発明の主旨を変えない範囲で種々変更実施可能なことは勿論である。すなわち、例えば次のような構造にしてもよいものとする。第一に、上述の形態においては電線押さえ部５が個々に設けられていたが、櫛刃状の部材になるように各電線押さえ部５を一体に形成してもよいものとする。また第二に、電線押さえ部５を介して電線７を引き出すようにしていたが、各電線押さえ部５の位置に圧接コネクタを設けて外部からのコネクタ接続により引き出すようにしてもよいものとする（上述の形態はコネクタレスの構造になっている）。さらに第三に、上述の形態においてはワーニング回路のブロック配線板３ｂ等が個々に設けられていたが、これら複数を一ブロック化してもよいものとする。
【００３９  】
【発明の効果】
以上説明したように、請求項１に記載された本発明によれば、各ブロック配線板の圧接構造に電線を布線して配線板全体の配線をすることができる。また、ブロック化された機能部品により標準化を図ることができる。従って、意匠変更や仕様変更があっても基板本体を変更しさえすれば対応することができる（その他はブロック配線板とブロック配線板の圧接構造とにより吸収することができる）。本発明に係る配線板は、余分なコストをかけずに配線することができるとともに、意匠変更や仕様変更に容易に対応することができるという効果を奏する。
【図面の簡単な説明】
【図１】本発明による配線板の一実施の形態を示す図であり、（ａ）はメータ配線板の正面図、（ｂ）はメータ配線板の背面図である。
【図２】メータ配線板の組み立てについて説明するための正面図である。
【図３】メータ配線板の組み立てについて説明するための背面図であり、（ａ）はブロック配線板装着時の背面図、（ｂ）は電線布線後の背面図である。
【図４】ブロック配線板の一例を示す斜視図である。
【図５】電線押さえ部の平面図である。
【図６】ハーネス支持固定部の模式的な正面図である。
【図７】従来例の配線板を含むコンビネーションメータの分解斜視図である。
【符号の説明】
１  メータ配線板（配線板）
２  基板本体
３  ブロック配線板
４  装着部
５  電線押さえ部
６  ハーネス支持固定部
７  電線
８  ワイヤハーネス
９  端末コネクタ
１０  ＥＣＵ（制御手段）
１１  基板
１２  ステッピングモータ（機能部品）
１３  圧接端子
１４  ＬＥＤ（機能部品）
１５  オドトリップアッシー（機能部品）
１６  ブザーアッシー（機能部品）
１７  圧接刃
１８  溝
１９  止めリブ
２０  抜け止め
【図１】
0003907482.tif 000002
【図２】
0003907482.tif 000003
【図３】
0003907482.tif 000004
【図４】
0003907482.tif 000005
【図５】
0003907482.tif 000006
【図６】
0003907482.tif 000007
【図７】
0003907482.tif 000008